(57)【要約】【課題】本発明の課題は、構成が簡単で安価で、衝撃が伝わらず、取付け外しも容易な、かつ使用時に安全な打撃加工具の把持具を提供することである。【解決手段】本発明の打撃加工具の把持具であって、棒状体部の一端に打撃される被打撃部と他端に打撃の力を被加工物体に伝える加工部を有する打撃加工具の棒状体部を移動自在に通す内寸法を持つ導管部と、導管部に取りついた手で把持するためのハンドル部を有する打撃加工具支持体を備え、棒状体部と導管部とは、通してあるだけの非接触状態で構成している。【選択図】図１
2020151821.tif 000002
【特許請求の範囲】
【請求項１】
棒状体部の一端に打撃される被打撃部と他端に前記打撃の力を被加工物体に伝える加工部を有する打撃加工具の前記棒状体部を移動自在に通す内寸法を持つ導管部と、前記導管部に取りついた手で把持するためのハンドル部を有する打撃加工具支持体を備え、前記棒状体部と前記導管部とは、通してあるだけの非接触状態で構成したことを特徴とする打撃加工具の把持具。
【請求項２】
前記棒状体部を通した前記導管部の上又は下、又は上下の位置で前記棒状体部に取り付け、前記導管部の上下の位置を決定するための導管位置制限具を備えたことを特徴とする請求項１記載の打撃加工具の把持具。
【請求項３】
前記導管位置制限具は、前記棒状体部の異なるサイズに対応可能であることを特徴とする請求項２記載の打撃加工具の把持具。
【請求項４】
前記導管部は、前記棒状体部のサイズに対応するため、相異なる内寸法を備えた複数の導管部を有するか、内寸法可変の導管部を有することを特徴とする請求項１から請求項３のいずれか１つに記載の打撃加工具の把持具。
【請求項５】
前記導管部と前記ハンドル部間に回転結合部を有し、前記ハンドル部の傾斜角度を調節可能としたことを特徴とする請求項１から請求項４のいずれか１つに記載の打撃加工具の把持具。
【発明の詳細な説明】
【技術分野】
【０００１】
本発明は、タガネ、鑿、杭等の、手でもってハンマーで打撃し加工を行う打撃加工具の把持具に関するものである。
【背景技術】
【０００２】
図６は、このような用途に向けた従来の把持具を示す図である。特許文献１に見ることができる。ハンマー等で打撃される加工具１を内包して垂直方向にガイドするための支え体２があり、加工具１の上部には、ピン５により押え座金４が固定され、押え座金４と加工具１の下部との間には、巻きバネ３が存在する。支え体２の側面には、握りハンドル６が付いている。この機能を述べると、握りハンドル６を手で握り、ハンマー等で加工具１の頭を打撃するので、加工具１を直接手で握ったときより、安全に加工できる。そして、巻きバネ３により打撃が存在するので、握りハンドル６をにぎった手には衝撃が伝わりにくいと述べている。然しながら、この構造では、検討の結果、次の欠点があることが分かる。
先ず、これを組み立てる場合を考えてみると、押え座金４の加工具１への固定は、どのようにして行うのかが疑問である。支え体内では、押え座金４を付けにくそうに見える。
支え体２に加工具１を挿入する前に押え座金４を付けると、支え体２には下側から挿入するしかない。挿入後に巻きバネ３を嵌め、ネジ蓋７をねじ込み締める。このような操作が必要なので、サイズ等の違った加工具１に対処するには、保持具全体を付け替えるのは、面倒になるため、加工具１ごとに保持具を容易することになる不便があり、組み立てが容易でない分使いにくい。そして、巻きバネ３があるので衝撃が伝わりにくいとはいえ、
加工具１の移動の衝撃は、押え座金４と巻きバネ３を介して、支え体２の下部のネジ蓋７を押すので、それに固定された握りハンドル６、従って手に動きが伝わる欠点がある。押え座金４、巻きバネ３、ネジ蓋７という構成が、目的とは逆の悪さをしてしまい余計な構成となっている。更に、構成が複雑になるので製作価格が上がる欠点がある。
【先行技術文献】
【特許文献】
【０００３】
【特許文献１】実開Ｓ５８−１６９９７８
【発明の概要】
【発明が解決しようとする課題】
【０００４】
本願の課題は、構成が簡単で安価で、衝撃が伝わらず、取付け外しも容易な、かつ使用時に安全な打撃加工具の把持具を提供することである。
【課題を解決するための手段】
【０００５】
以下請求項に沿い記述する。
請求項１記載の発明は、打撃加工具の把持具であって、
棒状体部の一端に打撃される被打撃部と他端に前記打撃の力を被加工物体に伝える加工部を有する打撃加工具の前記棒状体部を移動自在に通す内寸法を持つ導管部と、前記導管部に取りついた手で把持するためのハンドル部を有する打撃加工具支持体を備え、前記棒状体部と前記導管部とは、通してあるだけの非接触状態で構成したことを特徴とする。
【０００６】
請求項２記載の発明は、請求項１記載の打撃加工具の把持具において、
前記棒状体部を通した前記導管部の上又は下、又は上下の位置で前記棒状体部に取り付け、前記導管部の上下の位置を決定するための導管位置制限具を備えたことを特徴とする。
【０００７】
請求項３記載の発明は、請求項２記載の打撃加工具の把持具において、
前記導管位置制限具は、前記棒状体部の異なるサイズに対応可能であることを特徴とする。
【０００８】
請求項４記載の発明は、請求項１から請求項３のいずれか１つに記載の打撃加工具の把持具において、前記導管部は、前記棒状体部のサイズに対応するため、相異なる内寸法を備えた複数の導管部を有するか、内寸法可変の導管部を有することを特徴とする。
【０００９】
請求項５記載の発明は、請求項１から請求項４のいずれか１つに記載の打撃加工具の把持具において、前記導管部と前記ハンドル部間に回転結合部を有し、前記ハンドル部の傾斜角度を調節可能としたことを特徴とする。
【発明の効果】
【００１０】
以上の様に構成されているので、本発明による打撃加工具の把持具では、取付け外しも容易なので、複数の加工具１への付け替えも容易であり、衝撃は手に伝わらず、かつ安価である。
【図面の簡単な説明】
【００１１】
【図１】本発明にかかる本発明にかかる打撃加工具の把持具の一実施態様を示す図である。
【図２】本発明にかかる打撃加工具の把持具の使用時の状態の一実施態様を示す図である。
【図３】ハンドル傾斜手段を備えた本発明にかかる打撃加工具の把持具の一実施態様を示す図である。
【図４】打撃加工具のサイズに対応して、異径サイズの打撃具導導管を有する本発明にかかる打撃加工具の把持具の一実施態様を示す図である。
【図５】打撃加工具の把持具で使用される打撃加工具のサイズに対応して、異径サイズの導導管位置確保具の一実施態様を示す図である。
【図６】従来の打撃加工具の把持具を示す図である。
【発明を実施するための形態】
【００１２】
図１は、本発明にかかる本発明にかかる打撃加工具の把持具の一実施態様を示す図である。
１−Ａには、打撃加工具（この図の例ではタガネ）に把持具が付いた状態がしめされ、１−Ｂには、外された状態を示されている。打撃加工具１１０は、棒状体部１１１とその先端には槌等で打撃される被打撃部１１２と他端には、打撃力を被加工物体に伝える加工部１１３を備えている。把持具２００、棒状体部１１１を移動自在に通す内寸法を持つ導管部２１１と導管部２１１の側面から引き出され把持するためのハンドル部２１２を備えた打撃加工具支持体２１０と、好ましくは、棒状体部１１１を刺し込んだ導管部２１１の上下の位置で棒状体部１１１に固定され、導管部２１１に接触して導管部２１１の上下の位置を制限する導管位置制限具２２０を備える。導管位置制限具２２０の固定は、ネジ等の締めつけや、自体をゴム等の伸縮体で構成し、それで締めつけをしてもよい。
【００１３】
図２は、本発明にかかる打撃加工具の把持具の使用時の状態の一実施態様を示す図である。
打撃加工具１１０の先端の加工部１１３が被加工物体３００の面より少し持ち上げた状態の場合を２−Ａに、加工部１１３が被加工物体３００の面に接した状態の場合を２−Ｂに、導管部２１１と導管位置制限具２２０との位置関係をそれぞれ示す。２−Ａでは、導管部２１１が上部の導管位置制限具２２１に接触し、２−Ｂでは、接触せずに上下の導管位置制限具２２１、２２２の間にある。導管部２１１と下の導管位置制限具２２２の間の空き分があるので、打撃加工具１１０が動き衝撃が被加工物体に伝わる。導管位置制限具２２２の存在により、いつも同じ高さ位置で安定して打撃加工具１１０の加工部１１３を被加工物体３００に当てることができる。
【００１４】
図３は、ハンドル傾斜手段を備えた本発明にかかる打撃加工具の把持具の一実施態様を示す図である。この例では、導管部２１１とハンドル部２１２の間に回転結合部３１０があり、
ハンドル部２１２の傾斜角度が所望の値に調節できる。
【００１５】
図４は、打撃加工具のサイズに対応して、異径サイズの打撃具導導管を有する本発明にかかる打撃加工具の把持具の一実施態様を示す図である。
４−Ａでは、打撃加工具１１０の棒状体部１１１の寸法の違いに対応可能なように、１本の把持具２００の導管部２１１が内寸法の異なる複数の異径導管４１０構成になっている。４−Ｂでは、導管部２１１が、導管壁が巻き取りにより内寸法が変わる巻き取り壁４２０と巻き取り具４３０を有する構造になっている。
【００１６】
図５は、打撃加工具の把持具で使用される打撃加工具のサイズに対応して、異径サイズの導管位置制限具の一実施態様を示す図である。
５−Ａは、今まで説明したリング状のものであり、５−Ｂでは、導管位置制限具２２０の内側に移動板５１０を備えていて、移動板５１０は、外壁にあるネジ５２０により径方向に移動し、打撃加工具１１０を締め付けることで、異径対応をする。勿論、移動板５１０がなく、単なるネジ５２０で締め付けてもよい。この場合は、５−Ａのものにネジを付けた状態である。５−Ｃでは、５−Ｂとの違いは、ネジの代わりに移動板５１０を押す心棒５３０を備えていて、これをバネ（図示していない）で押し付ける構成である。５−Ｄでは、導管位置制限具２２０の壁に板状部５４０を設け、図４の４−Ｂのように巻き取り具５５０を備えたものである。
５−Ｅでは、導管位置制限具２２０をＣ状に一端を切り離した構成で、切り離し部の一端にハサミ５６０（幅広のクリップ状）を設けて、ハサミ５６０のノブ５６１を手で閉じるとハサミ板５６２が開き、手を離すとハサミ板５６２が閉じるため、内側にある打撃加工具１１０がハサミ板５６２を押すことになる。
以上、これに限らず、異形の打撃加工具に対応する導管位置制限具２２０を構成できる。
【産業上の利用可能性】
【００１７】
以上のように本発明にかかる打撃加工具の把持具は、取付け外しも容易なので、複数の加工具への付け替えも容易であり、衝撃は手に伝わらず、かつ安価に構成できるので、産業上利用して極めて好都合である。
【００１８】
１１０  打撃加工具
１１１  棒状体部
１１２  被打撃部
１１３  加工部
２００  把持具
２１０  打撃加工具支持体
２１１  導管部
２１２  被打撃部
２２０  導管位置制限具
２２１  導管位置制限具（上）
２２２  導管位置制限具（下）
３００  被加工物体
３１０  回転結合部
４１０  異径導管
４２０  巻き取り壁
４３０  巻き取り具
５１０  移動板
５２０  ネジ
５３０  心棒
５４０  板状部
５５０  巻き取り具
５６０  ハサミ
５６１  ノブ
５６２  ハサミ板
【図１】
2020151821.tif 000003
【図２】
2020151821.tif 000004
【図３】
2020151821.tif 000005
【図４】
2020151821.tif 000006
【図５】
2020151821.tif 000007
【図６】
2020151821.tif 000008